(57)【要約】【課題】外部からどのような景品が収容されているのか判別し得ないと共に、景品収容作業を極めて容易とした飲料缶に取着する景品収容容器を提供する。【解決手段】下端は底面で閉鎖し上端には蓋体が開閉し得るように一体的に連設された飲料缶の巻き締め縁に着脱自在に係止し得る筒状容器と、前記蓋体下面に形成した前記筒状容器上端に嵌合する嵌合凸部と、前記筒状容器上端に形成した切り欠きとを具備してなり、蓋体を閉じた状態で該切り欠きと蓋体とをシールを貼り着けて連結し、シールを剥がして切り欠きに指等を挿入して蓋体を開けるように構成した。【選択図】　　　　図１
2004099130.tif 000002
【特許請求の範囲】
【請求項１】
下端は底面で閉鎖し上端には蓋体が開閉し得るように一体的に連設された飲料缶の巻き締め縁に着脱自在に係止し得る筒状容器と、前記蓋体下面に形成した前記筒状容器上端に嵌合する嵌合凸部と、前記筒状容器上端に形成した切り欠きとを具備してなり、蓋体を閉じた状態で該切り欠きと蓋体とをシールを貼り付けて連結し、シールを剥がして切り欠きに指等を挿入して蓋体を開けるように構成したことを特徴とする飲料缶に取り外し自在に取着する景品収容容器。
【請求項２】
前記筒状容器下端の底面は上げ底に形成し、下端と底面との間の内周面にリング状に間隔付けて突起を形成し、該突起が飲料缶の巻き締め縁に着脱自在に嵌合係止し得るように構成してなる請求項１記載の容器。
【発明の詳細な説明】
【０００１】
【発明が属する技術分野】
この発明は、飲料缶に着脱自在に取着し得るようにした景品収容容器に関する。
【０００２】
【従来の技術】
景品を収容した容器を、飲料缶に装着した景品付き飲料缶は、従来から公知である。しかして、従来の景品付き飲料缶は、景品収容作業に手間を要するためコスト高になる点で、未だ十分満足すべきものではない。また、内部の景品が見えるようにした安価な容器も市販されているが、これは内部の景品を見せないような使用目的には使用し得ない。
【０００３】
例えば、特開平１０−３０５８４１号公報に景品付き飲料缶が記載されているが、これはメーカーが飲料缶に景品収容容器を取着し、これを自動販売機若しくは販売店で販売するものである。これは、蓋体を螺合させるものであるので、景品を収容し、蓋体を螺合し、飲料缶に取着する作業に多くの手間を要し、その結果コスト高になる問題があった。
【０００４】
【発明が解決しようとする課題】
この発明はこのような問題点を解決しようとするものであり、外部からどのような景品が収容されているのか判別し得ないと共に、景品収容作業を極めて容易とした飲料缶に取着する景品収容容器を提供することを目的とする。
【０００５】
【課題を解決するための手段】
上記目的に沿う本発明の構成は、下端は底面で閉鎖し上端には蓋体が開閉し得るように一体的に連設された飲料缶の巻き締め縁に着脱自在に係止し得る筒状容器と、前記蓋体下面に形成した前記筒状容器上端に嵌合する嵌合凸部と、前記筒状容器上端に形成した切り欠きとを具備してなり、蓋体を閉じた状態で該切り欠きと蓋体とをシールを貼り付けて連結し、シールを剥がして切り欠きに指等を挿入して蓋体を開けるように構成したことを特徴とする。
【０００６】
要するに本発明は、蓋体と筒状容器上端とを開閉し得るように一体的に連設させることにより、蓋体冠着作業を極めて容易とし、シールは切り欠き部に貼るだけで良いので、包装作業を容易にすると共に、景品収容容器と飲料缶との連結をスーパー等の販売店で行うことができるようにして、景品収容容器を低コストで提供し得るようにしたことを要旨とするものである。
【０００７】
筒状容器下端の底面は上げ底に形成し、下端と底面との間の内周面にリング状に間隔付けて突起を形成し、突起が飲料缶の巻き締め縁に着脱自在に嵌合係止し得るようにするのが好ましい（請求項２）。
【０００８】
【発明の実施の形態】
次に、本発明の実施の形態を図面に基づいて説明する。
【０００９】
図１は、本発明の一実施例を示すものであり、可とう性プラスチックで形成した円筒状容器１の下端は、上げ底の底部２で閉鎖され、内部に景品３を収容している。蓋体４は、円筒状容器１に一体的に連設し、蓋体４下面のリング状凸条５を円筒状容器１の開口部に嵌合し得るように構成している。
【００１０】
円筒状容器１上端には、切り欠き６が形成され、蓋体４を冠着させた状態で、切り欠き６に指等を挿入することによって、蓋体４を容易に開けることができるようになっている。尚、この切り欠き６部分には、図１（Ａ）及び図２（Ｃ）に示すように、シール７を貼り付けて蓋体４と円筒状容器１とを連結するものである。
【００１１】
蓋体４と円筒状容器１とは、連設部８を介して一体的に連設されている。このように構成することによって、開口状態で景品３を収容した後、蓋体４を下方に押すだけで直ちに冠着できるので、景品収容作業が極めて容易となる。
【００１２】
また、このように構成することによって、シール７は、切り欠き６の１ヶ所に貼着させれば良いので、開口し得ないようにするシール作業が極めて容易となる。
【００１３】
図２（Ａ）に示す状態においては、蓋体４は開口しているが、これは開口状態を示すためであり、飲料缶９に装着させるときは、蓋体４は閉じてシール７を貼着させている。このようにすることによって、景品３を密封した状態で景品収容容器をスーパー等の販売店に納入し、販売店で飲料缶９に景品収容容器を装着させることができる。
【００１４】
本発明の景品収容容器の飲料缶９への装着は、図１（Ｃ）に示すように、飲料缶９の巻き締め縁１０に、筒状容器１下端内周壁のリング状に間隔付けて形成した突起１１を嵌合係止させることにより行っている。
【００１５】
上記実施例においては、上げ底の底部２と飲料缶９上端とは密接しているが、若干隙間があっても勿論差し支えない。
【００１６】
図２（Ａ）に示す状態においては、嵌合凸部（リング状凸条）５は略リング状に形成されているが、これは完全なリング状であっても、円弧状の凸条を間隔付けて設けても差し支えない。
【００１７】
単に蓋体を開けるようにするだけで良いなら、切り欠き６を設けないで他の手段にすることもできるが、積み重ねることができるように上端を平坦にすることができることと、シールを貼着させることができることから、本発明においては、上記のように切り欠き６を形成している。
【００１８】
本発明の景品収容容器は、不透明なプラスチック若しくは紙等から形成するのが良く、可とう性プラスチックから形成するのが特に好ましい。
【００１９】
本発明の収容容器は、世界の戦車・戦闘機シリーズ、クラシック飛行機コレクション、世界遺産コレクション、トレインコレクション等のように、多数個（例えば６〜１０個位）で１組を構成する景品の収容容器として使用するのに特に適している。容器を開口しなければ、景品の種類がわからないから、１組を集めるのに多数購入しなければならなくなるからである。
【００２０】
【発明の効果】
本発明によれば、円筒状容器に蓋体を一体的に連設し、蓋体に蓋開口用切り欠きを形成しているから、景品を収容し、蓋を閉め、シールする作業が極めて簡略化されるので、景品を収容した容器を従来と比べて極めて低コストで供することができる。。
【図面の簡単な説明】
【図１】（Ａ）本発明の景品収容容器の一実施例を示す正面図である。（Ｂ）図１（Ａ）の裏面図である。（Ｃ）本発明の景品収容容器を飲料缶に装着させた状態を示す断面図である。
【図２】（Ａ）本発明の景品収容容器の蓋を開口した状態を示す斜視図である。（Ｂ）飲料缶の斜視図である。（Ｃ）本発明の景品収容容器を飲料缶に装着させた状態を示す斜視図である。
【符号の説明】
１………円筒状容器
２………底部
３………景品
４………蓋体
５………嵌合凸部（リング状凸条）
６………切り欠き
７………シール
８………連設部
１０………巻き締め縁
１１………突起
【図１】
2004099130.tif 000003
【図２】
2004099130.tif 000004